(57)【要約】【課題】従来の脱穀装置は、二番処理室を後方側に延長して、その延長部分で、排塵処理室から漏下した未処理物を再処理する構成ではあるが、扱室とは隔離されており、扱室からの未処理物を再処理して、揺動棚上に排塵する構成にはなっておらず、三番飛散を減少することはできない課題があった。【解決手段】この発明は、扱室と排塵処理室とから漏下した未処理物を受け継いで、再度、処理しながら前方側に送る処理室を構成し、該処理室の排塵口を、前部位置に開口して設け、前記処理室で再処理した排塵物を、前記排塵口から選別室の上部位置に装備した揺動選別棚の選別開始位置に排塵する構成とした脱穀装置としている。【選択図】図１
2007143425.tif 000002
【特許請求の範囲】
【請求項１】
機体（１）内に設けた選別室（２）の上方に、扱室（３）と、排塵処理室（４）と、処理室（５）とを前後方向に配置した脱穀装置（６）であって、機体（１）の前部側に位置する前記扱室（３）の終端部に、受継供給口（７）を連通した排塵処理室（４）を、機体（１）の後部側に延長して設け、該排塵処理室（４）の下方に配置した前記処理室（５）を、機体（１）の前部側まで延長して、前端部に排塵口（８）を開口して設け、該処理室（５）は、前記排塵処理室（４）と扱室（３）とから漏下した未処理物を受け継いで前方に送りながら再処理する構成とし、前記処理室（５）の排塵口（８）は、前記選別室（２）の上部位置に装備した揺動選別棚（９）の選別開始位置に排塵する構成とした脱穀装置。
【請求項２】
前記排塵処理室（４）は、前記扱室（３）に連通した受継供給口（７）を始端部として機体（１）の後部側に延長して後端部位に排塵口（１０）を開口して設け、該排塵口（１０）は、下側の排塵物落下通路（１０ａ）によって、排塵物を選別室（２）の後部に排塵する構成とし、前記処理室（５）は、前記排塵口（１０）、及び排塵物落下通路（１０ａ）より前側の位置から機体（１）の前部側に延長して構成した請求項１記載の脱穀装置。
【請求項３】
前記処理室（５）に内装軸架した処理胴（５ａ）は、その外周面に、単体で不連続に形成した各処理歯（１１）を配列して取り付けて構成した請求項１、又は２記載の脱穀装置。
【発明の詳細な説明】
【技術分野】
【０００１】
この発明は、扱室、及び排塵処理室から漏下した未処理物を、再処理する処理室を設け、該処理室の排塵口を、選別室の揺動選別棚の選別開始位置に開口して構成した脱穀装置に関する。
【背景技術】
【０００２】
従来から、この種の脱穀装置は、脱粒処理を効果的に行いながら効率よく処理して、機外への飛散等で失われる穀粒の損失を少なくして、穀粒の回収率を向上するために各種の構成が採用されている。例えば、本件の出願前に特許出願公開されている公開特許公報、特開２００５−１１０６８８号（特許文献１参照）は、明細書、及び図面に、扱室から排塵物を受け継いで処理する排塵処理室が装備されている。更に、二番処理室は、二番螺旋から二番揚穀筒で揚穀された二番還元物を、再処理する二番処理胴を後方の前記排塵処理室の下方にまで延長して構成している。そして、該公開技術は、前記排塵処理室から漏下してきた未処理物を、前記後方に延長した二番処理胴で処理しながら前方に移送する構成となっている。
【０００３】
このように、従来から、脱穀装置は、供給された穀稈から脱穀した穀粒、例えば、枝梗付着粒等の細い藁枝に付いている稲粒までも、単粒に達するまで重複して脱粒処理を繰り返し、穀粒の回収率を高めて、三番飛散等による機外損失を減らす技術手段を追及することが要請されている。
【特許文献１】特開２００５−１１０６８８号公報
【発明の開示】
【発明が解決しようとする課題】
【０００４】
従来の脱穀装置は、上記した特許文献１に見られるように、排塵処理室から漏下した未処理物を、後方側に延長した二番処理胴で処理したり、延長した二番処理胴螺旋で二番処理室側に移送する構成になっており、漏下物を再度脱粒処理する技術構成になっていることが理解できる。
【０００５】
しかしながら、上記特許文献１に開示されている二番処理室は、後方側に延長した部分で排塵処理室から漏下した未処理物を受け継いで再処理する構成であって、扱室とは隔離された構成になっている。したがって、特許文献１に示されている従来技術は、扱室から漏下した未処理物の一部を再処理しながら、揺動選別棚の選別開始部位まで移送して排塵し、充分な選別を行うことはできず、三番飛散による損失を減少できない課題がある。
【課題を解決するための手段】
【０００６】
この発明は、上記課題を解決するために、請求項１に記載した発明は、機体（１）内に設けた選別室（２）の上方に、扱室（３）と、排塵処理室（４）と、処理室（５）とを前後方向に配置した脱穀装置（６）であって、機体（１）の前部側に位置する前記扱室（３）の終端部に、受継供給口（７）を連通した排塵処理室（４）を、機体（１）の後部側に延長して設け、該排塵処理室（４）の下方に配置した前記処理室（５）を、機体（１）の前部側まで延長して、前端部に排塵口（８）を開口して設け、該処理室（５）は、前記排塵処理室（４）と扱室（３）とから漏下した未処理物を受け継いで前方に送りながら再処理する構成とし、前記処理室（５）の排塵口（８）は、前記選別室（２）の上部位置に装備した揺動選別棚（９）の選別開始位置に排塵する構成とした脱穀装置であって、扱室（３）より低い位置で排塵処理室（４）の下方に配置している処理室（５）は、扱室（３）と排塵処理室（４）とから漏下してくる未処理物を再処理しながら前部側に移送して、排塵口（８）から揺動選別棚（９）の選別開始位置に排塵するから、再度の脱粒処理を繰り返しながら、揺動選別棚（９）の最初から長い工程上で選別作用を受けて充分に選別することができる。
【０００７】
したがって、請求項１に記載した発明は、三番飛散等による機外損失を大幅に少なくして、穀粒の回収率を向上できるものとなった。
つぎに、請求項２に記載した発明は、前記排塵処理室（４）は、前記扱室（３）に連通した受継供給口（７）を始端部として機体（１）の後部側に延長して後端部位に排塵口（１０）を開口して設け、該排塵口（１０）は、下側の排塵物落下通路（１０ａ）によって、排塵物を選別室（２）の後部に排塵する構成とし、前記処理室（５）は、前記排塵口（１０）、及び排塵物落下通路（１０ａ）より前側の位置から機体（１）の前部側に延長して構成した請求項１記載の脱穀装置であって、機外飛散による損失を少なくして穀粒の回収率を高めたものでありながら、処理室（５）が排塵処理室（４）の排塵口（１０）から排塵物落下通路（１０ａ）を落下する排塵物の邪魔をすることなく、排塵作用が確実にできるものとなっている。
【０００８】
つぎに、請求項３に記載した発明は、前記処理室（５）に内装軸架した処理胴（５ａ）は、その外周面に、単体で不連続に形成した各処理歯（１１）を配列して取り付けて構成した請求項１、又は２記載の脱穀装置であって、請求項１、及び２に記載した発明と同様の作用を奏するものでありながら、その上に加えて、各処理歯（１１）は、送り機能を少なくして、脱粒処理作用を大きくしているから、処理室（５）の滞留時間が比較的長くなって枝梗付着粒を適確に脱粒処理して穀粒の回収率を向上できる利点がある。
【発明の効果】
【０００９】
まず、請求項１の発明は、扱室（３）より低い位置で、しかも、排塵処理室（４）の下方から前部側に配置している処理室（５）は、扱室（３）と排塵処理室（４）との両方から漏下してくる未処理物を受け継いで、再処理しながら前部側に移送して、排塵口（８）から揺動選別棚（９）の選別開始位置に排塵するから、脱粒処理を繰り返しながら前側に移送して、揺動選別棚（９）の選別開始位置から選別作用を受けることによって、長い選別工程がとれ、充分に選別することができる特徴がある。
【００１０】
そして、請求項１の発明は、再度の脱粒処理に加えて、充分な揺動選別と選別風による選別作用とを行うことで、脱粒と選別とが適確に行われ、三番飛散を最小にできて機外損失を大幅に少なくして、穀粒の回収率を向上できる優れた特徴を有する。
【００１１】
そして、請求項２に記載した発明は、機外飛散による損失を少なくして穀粒の回収率を高めたものでありながら、処理室（５）が排塵処理室（４）の排塵口（１０）から排塵物落下通路（１０ａ）を落下する排塵物の邪魔をすることなく、適確に排塵作用ができる特徴がある。
【００１２】
そして、請求項３に記載した発明は、請求項１、及び２に記載した発明の機能、特徴を有するものでありながら、螺旋処理歯などに比較して処理室（４）内での滞留時間を長くできて、枝梗付着粒等を充分に脱粒処理して穀粒の回収率を向上できる特徴がある。
【発明を実施するための最良の形態】
【００１３】
脱穀装置６は、図１、及び図２に示すように、機体１を前部側板１ａと後部側板１ｂとで囲んで構成して、前後方向に沿わせて、下部に選別室２を装備し、その上方に、扱室３、排塵処理室４、処理室５を設けて脱穀、選別ができる構成としている。
【００１４】
そして、扱室３は、従来から周知の構成であるから図示を省略したが、前部側板１ａ側に穀稈供給口が開口され、扱室後側板１３に後方への排藁口を開口し、その間を扱ぎ口で連続させ、外側には、図示しないフィードチエンを設けて穀稈の株元を挟持して穂先側を扱室３の内部に挿入して搬送する構成としている。そして、扱室３は、扱胴３ａを軸装して設け、上記の如く室内に挿入されて搬送される穀稈の穂部に作用して脱穀を行う構成としている。
【００１５】
そして、扱室３は、図２に示すように、前記扱胴３ａの外周を囲むように、下方と後方側とには選別網１４を張設して脱粒物が室外に漏下できる構成となっている。
つぎに、排塵処理室４は、図面から解るように、前記扱室３と同じ方向（平面視で平行状態）に向けて装置し、始端部に受継供給口７を開口して前記扱室３の終端部分に連通し、終端部分を前記した機体１の後部側板１ｂまで延長した構成としている。そして、排塵処理室４は、図面に示すように、排塵処理胴４ａを内装して軸架し、前記受継供給口７から受け継いだ扱室３の排塵物（未処理物）を再度脱粒処理し、漏下できる処理物は、下方の後述する処理室５、選別室２に落下し、なおも、脱粒処理を続けながら後方に移送する構成としている。そして、排塵処理室４は、後部側板１ｂの手前側に排塵口１０を開口して設け、これに排塵物落下通路１０ａを接続して設け、排塵物を選別室２の後部（後述する揺動選別棚９のストローラック１８の上方）に排塵する構成としている。
【００１６】
つぎに、処理室５は、図面に示すように、前記排塵処理室４の下方に、前後方向に向けて配置し、始端部を前記後部側板１ｂから排塵物落下通路１０ａを隔てた位置として、終端部が前記扱室３側の前部側板１ａに達する位置まで延長して配置した構成としている。そして、処理室５は、内部に処理胴５ａを軸架して設け、前記排塵処理室４と扱室３との両方の室３，４から選別網１４を漏下した未処理物が流入できる構成とし、これらの未処理物を再度脱粒処理する構成としている。この場合、処理室５は、図１に示すように、前部側板１ａに接近した位置に終端部の排塵口８を開口して設け、前部まで処理を続けながら移送してきた排塵物を、揺動選別棚９の始端部分で選別開始位置に落下して供給する構成としている。この場合は、処理室５の受網１２は、無孔とし樋状に形成して受け継いだ未処理物を排塵口８まで移送しながら脱粒処理する構成としている。
【００１７】
そして、処理胴５ａは、図１、及び図２に示すように、その外周面に、単体で、螺旋処理歯の如く連続しておらず、不連続で送り機能の低い構成にした処理歯１１を配列して取り付けた構成としている。
【００１８】
つぎに、選別室２の構成の概略を説明する。
まず、選別室２は、図１、及び図２に示すように、上側に揺動選別棚９が揺動自由に設けられ、選別方向に向かって始端部側から、移送棚１６、チャフシーブ１７、ストローラック１８の順に配置した構成としている。そして、移送棚１６は、主として扱室３の下方に配置され、チャフシーブ１７は、扱室３の終端部分と排塵処理室４との接続した受継供給口７の近辺から後方位置に配置して設けられ、ストローラック１８は、選別室２後部にある横断流ファン１９の下方位置から排塵処理室４の排塵口１０の下方位置まで延長して設けた構成となっている。  
【００１９】
そして、揺動選別棚９の下方には、選別方向の上手側から、圧風唐箕２０、一番移送螺旋２１、二番移送螺旋２２の順に配置した構成としている。そして、二番揚穀装置２３は、図１に示すように、前記二番移送螺旋２２の終端部位から前記処理室５の扱室３側に連通開口させて二番物を、処理室５の後部に還元する構成としている。
【００２０】
以上述べたように、実施例に係る脱穀装置６は、排塵処理室４の下側で、扱室３より低い位置に配置した処理室５が、排塵処理室４から漏下した未処理物と、扱室３の選別網１４から漏下した未処理物の一部とを受け継いで再度脱粒処理しながら、前部側に送って揺動選別棚９の始端部、選別開始位置に落下するものである。したがって、処理室５は、未処理物を、再度、充分に脱粒処理することが可能であり、加えて、選別室２の上手側にある排塵口８から、選別開始位置に排塵して落下、供給し、揺動選別と、圧風唐箕２０からの選別風による風選とを行うことができるのである。
【００２１】
このような作用によって、実施例に係る脱穀装置６は、従来、多く発生していた三番飛散などの穀粒の機外損失を大幅に低減できて、穀粒の回収率が著しく向上した特徴がある。
【００２２】
そして、処理室５は、処理歯１１を不連続に形成したことにより、室内に未処理物の滞留時間が長くなって処理作用が行われ、脱粒が促進される効果がある。そして、処理室５は、既に説明したとおり、排塵処理室４の排塵口１０、及び排塵物落下通路１０ａを遮らないように、後部側板１ｂから前側に離して配置して構成したから、排塵障害がなく、円滑な排塵ができる特徴もある。
【００２３】
更に、実施例の処理室５は、図１、及び２に示し、実施例で説明したように、受網１２を全て無孔に形成して樋状に構成しているから、再度脱粒処理する未処理物を漏下せず、室内の滞留時間を長くできるから、処理が確実に行えて、穀粒の回収率をより高くすることができる特徴がある。
【００２４】
そして、脱穀装置６は、図３に示す実施例の場合、側面視で、処理室５を、扱室中側板２５を中心にして前部と後部とに受網１２を分けて、前部を有孔受網１２ａとし、後部を無孔受網１２ｂに構成した。したがって、処理室５は、後部の無孔受網１２ｂの部分では漏下がなく、脱粒が促進されて枝梗付着粒が大幅に少なくなって、前部の有孔受網１２ａに達すると、選別室２への漏下が行われて過剰な脱粒、脱っぷ（籾の殻がはがれる現象）が減少する利点がある。
【００２５】
つぎに、脱穀装置６は、図４に示す実施例の場合、処理室５に内装軸架している処理胴５ａの処理歯１１を、既に図１に基づいて説明した不連続にした処理歯１１と、螺旋状の連続処理歯２６とに分けて構成している。すなわち、具体的に述べると、処理胴５ａは、図４に示すように、側面視で、扱室中側板２５を基準にして、前部側に不連続の処理歯１１を配置して取り付け、後部側に連続した搬送螺旋状の連続処理歯２６を取り付けて構成している。
【００２６】
この場合、処理室５の受網１２は、全て無孔受網１２ｂに構成している。
このように、処理胴５ａは、連続処理歯２６と不連続処理歯１１とから構成すると、連続処理歯２６の部分が比較的安価に製作できる利点があり、排塵処理室４からの漏下量が多くても送り作用が働き、処理物が詰まる等のおそれもなく、脱粒処理が促進される特徴があり、そのため、実施例の場合、機外飛散による損失も少なくなって、穀粒の回収率が向上する利点がある。そして、更に、述べれば、これらの排塵物は、選別室２の始端部分にある排塵口８から揺動選別棚９の選別開始位置に落下供給できるから、充分な選別工程が取れて、三番飛散が減少する。
【００２７】
つぎに、図５に示す実施例は、上記図４の実施例において、受網１２を、有孔受網１２ａと無孔受網１２ｂとに分けて構成したものである。すなわち、受網１２は、図５に示すように、扱室中側板２５を境にして前部と後部とに分割して、図３の実施例で説明したように、前部を有孔受網１２ａとし、後部を無孔受網１２ｂに構成した。
【００２８】
このように構成することによって、実施例は、処理胴５ａの生産においてコストダウンが図れる（連続処理歯２６が処理胴５ａへの取付工数がかからない。）と共に、無孔受網１２ｂの部分で脱粒処理と移送とが行われ、前部に達すると、有孔受網１２ａのために、脱っぷを少なくできる特徴がある。
【００２９】
つぎに、図６、及び図７に示す実施例は、既に説明した図１、及び図２の処理室５の構成において、側面視で、扱室中側板２５と扱室後側板１３との間に後部排塵口３０を開口して構成している。したがって、実施例の場合、処理室５は、図６に示すように、処理歯を全て不連続処理歯１１とし、前後の受網１２を無孔受網１２ｂとして、更に、上記説明の通り、前部の排塵口８に加えて、後部排塵口３０を設けた構成としている。
【００３０】
このように構成した実施例は、脱穀処理作業の過程で、排塵処理装置４から処理室５に漏下した未処理物と、扱室３の選別網１４から処理室５内に漏下してきた未処理物とがそれぞれ別々に混じり合うことなく、適確に脱粒処理作用を受ける利点があり、後部排塵口３０と前部の排塵口８とから別々に揺動選別棚９上に供給されて効果的に選別される。
【００３１】
そして、実施例の場合、それぞれ漏下した未処理物は、不連続の処理歯１１の効果や無孔受網１２ｂの効果も加わって、枝梗付着粒が減少して三番飛散が少なくなる特徴がある。
【００３２】
なお、図６の構成で、前部の処理室５の受網１２を有孔受網１２ａに取替えれば、処理の過程で選別室２に漏下できるから、前部の処理室５における脱ぷを少なくする効果がある。
【００３３】
つぎに、図８に示す実施例について説明する。
この実施例の場合、処理室５は、既に図６の実施例で説明したように、前部の排塵口８と後部排塵口３０との２つの排塵口８，３０を開口して、扱室３側の前部の処理物と、排塵処理室４側の後部の処理物とを混ぜ合わさないで別に脱粒処理して、別に排塵する構成としている。そして、処理室５は、図８の実施例の場合、図面から解るように、後部の排塵処理室４からの漏下物を受ける処理胴５ａに搬送機能を備えた連続処理歯２６を設けて、前側への搬送機能を備えながら脱粒処理する構成としている。
【００３４】
したがって、処理室５は、排塵処理室４から漏下して供給された未処理物が排塵口３０側への搬送力も加わって処理速度が加速され、効果的に脱粒処理されるものとなった。この実施例は、排塵処理室４側の未処理物が多い場合でも、詰まる等の弊害がなくなり、処理スピードが促進される特徴がある。
【００３５】
そして、処理室５は、図８に示すように、受網１２を全て無孔受網１２ｂに構成すると、処理歯１１、及び連続処理歯２６の作用が効果的に働いて、脱粒処理が促進され、枝梗付着粒がよく脱粒され三番飛散の減少に繋がる利点がある。
【００３６】
そして、処理室５は、図８の実施例において、扱室３側の前部処理室５の無孔受網１２ｂに代えて、有孔受網１２ａを取り付けると、有孔受網１２ａの長所が存分に生かされて選別室２への漏下が行われ、脱っぷが減り、適確に処理が進むものとなる。
【００３７】
つぎに、図９に示す実施例は、前部側の処理室５に連続処理歯２６を取り付けた処理胴５ａを軸架し、後部側の処理胴５ａには不連続の処理歯１１を取り付けている。この実施例は、既に説明した各実施例と同様に、処理室５には、前部の排塵口８と後部排塵口３０とを別々に構成し、両方の処理物、排塵物が混ざり合わない構成としている。
【００３８】
以上の構成によって、処理室５は、藁屑の多い排塵処理室４から漏下、供給される未処理物と、藁屑が比較的少ない扱室３からの漏下物とが別々に処理され、排塵される点については、既に説明した実施例と同様に効果が大きい。
【００３９】
それに加えて、実施例は、図９に示すように、扱室３側の処理室５に、連続処理歯２６を有する処理胴５ａを設けたから、この部分で搬送力の伴う処理が行われて、脱ぷが少なくなるために、種籾を取るための稲を脱穀するのに適する脱穀装置となる特徴がある。
【００４０】
そして、実施例は、図９に示すように、前部と後部との処理室５の受網１２を無孔受網１２ｂとして、脱粒処理中に選別室２への漏下ができない構成にして、脱粒作用の促進を図って、三番飛散を少なくするものとしたが、前部、すなわち、扱室３側の受網１２を有孔受網１２ａに構成する場合もある。
【００４１】
このように構成すると、実施例に係る脱穀装置６は、それぞれの特徴を充分に発揮できる構成となり、特に、扱室３から前部の処理室５に漏下した未処理物の脱ぷが減って、種籾用の脱穀装置に適するものとなる。
【００４２】
つぎに、図１０、及び図１１に示す実施例について説明する。
まず、本件に係る実施例は、図面に示すように、処理室５に内装軸架している処理胴５ａには、搬送機能を備えた螺旋状の連続処理歯２６を設けて構成している。この場合、処理室５は、既に説明した図１の構成に示す処理歯１１の全てを、上記連続処理歯２６で構成した実施例であって、他の構成は、同一としている。
【００４３】
このように構成した実施例は、処理室５において、連続処理歯２６が有する特有の機能が発揮されて、脱粒処理作用がスピードアップされて行われ、その処理が充分に行われる構成でありながら、脱っぷが減少するものとなる。したがって、実施例の脱穀装置６は、機外への三番飛散が減少して損失が少なくなって、処理室５の処理効率の良い装置を提供することができる。
【００４４】
そして、処理室５は、図１０、及び図１１に示すように、受網１２の全面を無孔受網１２ｂで構成すると、事後の清掃性がよく、種籾用脱穀機に適する特徴がある。
つぎに、処理室５の受網１２は、図１２に示すように、側面視で、扱室中側板２５を境にして、前部側を有孔受網１２ａに構成し、後部側の受網１２を無孔受網１２ｂに構成している。したがって、前部側の処理室５は、扱室３の選別網１４から漏下する未処理物と、後部側から送られてくる未処理物と、二番揚穀装置２３によって還元される二番物などが合流して未処理物の量が多くなるが、これらを連続処理歯２６と有孔受網１２ａの共同作用によって高能率で処理し、選別室２に漏下しながら脱っぷを減少して、処理量に対応して効率的に処理する特徴がある。
【００４５】
つぎに、図１３に正面視で示す実施例の排塵処理室４は、下方の選別室２との間にカバー３１を設けて、漏下物の全てを処理室５に供給して、選別室２には落さず、穀粒の回収効率を高めんと構成したものである。この場合、排塵処理室４から下側の処理室５に漏下した未処理物は、処理胴５ａで脱粒処理作用を受けながら、前側に開口している排塵口８まで移送されて、選別室２の始端部の選別開始位置に落下、供給されて長い工程の選別作用を受けることができる。
【００４６】
したがって、この実施例は、従来のように、排塵処理室４から漏下して直接、選別室２に供給されていたもののように、選別距離が短い構成に比較して、穀粒の回収率が大幅に向上し、三番飛散を減少した特徴がある。
【００４７】
つぎに、図１４に示す実施例について説明する。
この場合、実施例は、図面に示すように、排塵処理室４の後部に開口した下向きの排塵口１０を、機体１の後部側板１ｂより外側に開口した構成としている。
【００４８】
そして、実施例の排塵口１０は、図１４に示すように、側面視で横断流ファン１９の排塵口３６の側部で若干上側に開口し、排塵物を排塵処理胴４ａの後部に設けた掻出羽根３７で排出する構成としている。
【００４９】
このように構成した実施例は、図１４からも解るように、排塵処理室４の排塵口１０から排出された排塵物が選別室２を避けて機外に排塵されるから、選別室２の排塵処理の負担が、大幅に軽減でき、選別室２内部の穀粒回収率を向上することができる特徴がある。
【００５０】
そして、上記構成において、処理胴５ａは、図１４に示すように、不連続に形成した処理歯１１を設けているから、処理室５に供給された未処理物を適確に処理して、枝梗付着粒を充分に単粒化して選別室２に排塵することができる。
【００５１】
そして、図１４に示す実施例の場合、処理室５は、図面から解るように、前記排塵処理室４の排塵口１０を、後部側板１ｂの外側に開口したから、後部側板１ｂの内側まで長く延長した構成とすることが可能となった。したがって、処理室５は、上側にある排塵処理室４から漏下する未処理物を機体１の後部側板１ｂの位置まで、ほとんどを回収して再度、脱粒処理ができる優れた特徴がある。
【００５２】
つぎに、図１５に示した実施例は、上記した図１４の実施例において、処理室５から選別室２に通じる排塵口８，３０を複数個開口した構成としている。この場合、実施例は、前部の排塵口８と後部排塵口３０との２つを設けているが、後部排塵口３０は、図１５の側面視に示すように、扱室中側板２５と扱室後側板１３との間に開口して構成している。
【００５３】
したがって、処理室５は、図１５、及び図１６に示すように、前部側が扱室３から漏下した未処理物と二番揚穀装置２３が揚穀する二番還元物とを処理し、後部側が排塵処理室４から漏下した未処理物を受け継いで再処理することができる特徴がある。しかも、両排塵口８，３０から下方の選別室２に排塵される排塵物は、それぞれ精一杯の長い選別工程が確保できて、充分な選別で穀粒の回収率を向上する利点もある。
【００５４】
そして、前記した後部排塵口３０は、図１５に示すように、揺動選別棚９上に装備しているチャフシーブ１７の選別を開始する始端部分に排塵できる関係位置に構成している。したがって、実施例の場合、処理室５は、排塵処理室４から漏下して再処理した排塵物を、チャフシーブ１７の始端部上に供給して選別を開始できるから、前側の余分な送り工程がなく、効率的に選別されるものとなっている。
【００５５】
そして、前部側の処理室５は、図１５に示すように、後部排塵口３０のすぐ前側に、仕切板４０を設けて独立した室に構成している。
このように、実施例は、後部排塵口３０と前記仕切板４０とによって、処理室を完全に前部側と後部側とに分けて構成し、前部は扱室３の漏下物と二番還元物との専用として処理し、後部を排塵処理室４からの漏下物専用としたものである。
【００５６】
そして、前後二つの処理室５は、それぞれ選別工程が最大の長い工程の選別が確保できる部位に二つの排塵口８，３０を開口し、選別効果を向上して穀粒の回収率を上げ、三番飛散を減少して機外飛散による損失を最小に抑えた特徴がある。
【００５７】
つぎに、図１７に示す実施例は、既に説明した図１４の実施例において、処理胴５ａの不連続の処理歯１１を連続処理歯２６に代えた構成にしている。
このように構成した実施例は、上側の排塵処理室４の排塵口１０を後部側板１ｂの外側に開口して、その分だけ処理室５を後部側板１ｂの内側まで延長して排塵処理室４から多量の漏下物を受け継いでも、連続処理歯２６の処理速度が上がるから処理が加速されて停滞はなく、効率よく脱粒処理される特徴がある。
【００５８】
そして、連続処理歯２６は、既に説明しているように、処理中に脱っぷの発生を減少する利点があり、排塵口８側への移送がスピードアップされて停滞の少ない処理ができる。
つぎに、図１８に示す実施例は、上記した図１７に示す実施例において、処理胴５ａの前部に不連続の処理歯１１を設け、処理胴５ａの後部に連続処理歯２６を設けて構成している。そして、該処理胴５ａの連続処理歯２６と不連続処理歯１１とは、図１８に示すように、扱室中側板２５、乃至は受継供給口７の近傍を境にして、前側を不連続処理歯１１とし、後側を連続処理歯２６に構成している。
【００５９】
このように、処理室５は、処理胴５ａに連続処理歯２６と不連続処理歯１１とを設けると、図４の実施例でも説明したが、連続処理歯２６の部分が比較的安価に製作できる利点があり、排塵処理室４からの漏下量が多くても送り作用が働き、処理物が詰まる等のおそれもなく、脱粒処理が促進される特徴があり、そのため、実施例の場合、機外飛散による損失も少なくなって、穀粒の回収率が向上する利点がある。
【００６０】
以上、本件出願に係る各実施例の個々について説明してきたが、本件出願の主要な発明は、まず、請求項１の発明であって、扱室３より低い位置で、しかも、排塵処理室４の下方から前部側に配置している処理室５は、扱室３と排塵処理室４との両方から漏下してくる未処理物を受け継いで、再処理しながら前部側に移送して、排塵口８から揺動選別棚９の選別開始位置に排塵する実施態様であって、脱粒処理を繰り返しながら前側に移送して、揺動選別棚９の選別開始位置から選別作用を受けることによって、充分に選別することができるものである。
【００６１】
そして、この実施例は、処理室５における再度の脱粒処理に加えて、充分な揺動選別と選別風による選別作用とを行うことで、脱粒と選別とが適確に行われ、三番飛散を最小にできて機外損失を大幅に少なくして、穀粒の回収率を向上できる優れたものとなっている。
【００６２】
つぎに、請求項２の発明は、上記実施例の作用、効果を奏するものでありながら、その上に加えて、処理室５が排塵処理室４の排塵口１０から排塵物落下通路１０ａを避けた位置から設けて、排塵処理室４から落下する排塵物の邪魔をすることなく、選別室２への排塵が円滑にできる点にある。
【００６３】
そして、請求項３の発明は、不連続にした処理歯１１の処理胴５ａに関し、螺旋状の連続処理歯２６などに比較して処理室（４）内での滞留時間を長くできて、枝梗付着粒等を充分に脱粒処理できるから、穀粒の回収率を向上できるものとなっている。
【００６４】
なお、各実施例で説明した連続処理歯２６は、不連続処理歯１１にはない特徴があり、それぞれ長所を生かした使用をすれば有効である。
【図面の簡単な説明】
【００６５】
【図１】脱穀装置の側断面図
【図２】脱穀装置の正断面図
【図３】脱穀装置の側断面図
【図４】脱穀装置の側断面図
【図５】脱穀装置の側断面図
【図６】脱穀装置の側断面図
【図７】脱穀装置の正断面図
【図８】脱穀装置の側断面図
【図９】脱穀装置の側断面図
【図１０】脱穀装置の側断面図
【図１１】脱穀装置の正断面図
【図１２】脱穀装置の側断面図
【図１３】脱穀装置の正断面図
【図１４】脱穀装置の側断面図
【図１５】脱穀装置の側断面図
【図１６】脱穀装置の正断面図
【図１７】脱穀装置の側断面図
【図１８】脱穀装置の正断面図。
【符号の説明】
【００６６】
１  機体                          １ａ  前部側板
１ｂ  後部側板、                  ２  選別室
３  扱室                          ３ａ  扱胴
４  排塵処理室                    ４ａ  排塵処理胴
５  処理室                        ５ａ  処理胴
６  脱穀装置                      ７  受継供給口
８  排塵口                        ９  揺動選別棚
１０  排塵口                      １０ａ  排塵物落下通路。
【図１】
2007143425.tif 000003
【図２】
2007143425.tif 000004
【図３】
2007143425.tif 000005
【図４】
2007143425.tif 000006
【図５】
2007143425.tif 000007
【図６】
2007143425.tif 000008
【図７】
2007143425.tif 000009
【図８】
2007143425.tif 000010
【図９】
2007143425.tif 000011
【図１０】
2007143425.tif 000012
【図１１】
2007143425.tif 000013
【図１２】
2007143425.tif 000014
【図１３】
2007143425.tif 000015
【図１４】
2007143425.tif 000016
【図１５】
2007143425.tif 000017
【図１６】
2007143425.tif 000018
【図１７】
2007143425.tif 000019
【図１８】
2007143425.tif 000020